【手続補正書】
【提出日】平成20年12月25日(2008.12.25)
【手続補正１】
【補正対象書類名】明細書
【補正対象項目名】特許請求の範囲
【補正方法】変更
【補正の内容】
【特許請求の範囲】
【請求項１】
「ユーザーから見える実際の景色であって、特定対象物である物体（建物や画面上に表示されたモノなどを含む）又はその部分を含む景色」の映像を取得するための映像取得手段と、
探索用の文字列、図形、画像、又は音などの探索用データを入力又は取得するための探索用データ取得手段と、
前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、
前記特定手段による特定又は抽出結果に基づいて、前記特定又は抽出された「ユーザーから見える実際の景色」の中の「前記探索用データに対応する特定対象物」の存在している場所又は方向を、所定の方法でユーザーに分かるように指示するためのポイント手段と、
を含むことを特徴とするポインティング装置。
【請求項２】
「ユーザーから見える実際の景色であって、特定対象物である物体（建物や画面上に表示されたモノなどを含む）又はその部分を含む景色」の映像を取得するための映像取得手段と、
探索用の文字列、図形、画像、又は音などの探索用データを入力又は取得するための探索用データ取得手段と、
前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、
前記映像取得手段により取得された「ユーザーから見える実際の景色」の映像を表示するための表示手段と、
前記特定手段による特定又は抽出結果に基づいて、前記表示手段により表示された前記「ユーザーから見える実際の景色」の映像の中の「前記探索用データに対応する特定対象物」の存在を、画面上での矢印の図形や赤などの色の点や点滅などによる指示表示により、ユーザーに分かるように示すためのポイント手段と、
を含むことを特徴とするポインティング装置。
【請求項３】
「ユーザーから見える実際の景色であって、特定対象物である物体（建物や画面上に表示されたモノなどを含む）又はその部分を含む景色」の映像を取得するための映像取得手段と、
探索用の文字列データを入力又は取得するための探索用文字列データ取得手段と、
前記映像取得手段により取得された映像の中から映像中の文字列を文字認識して読み取るための文字認識手段と、
前記文字認識手段により認識された前記映像中の文字列と前記探索用文字列データ取得手段により取得された探索用文字列データとに基づいて、前記「ユーザーから見える実際の景色」の映像の中から「前記探索用文字列データに対応する文字列」を特定又は抽出するための特定手段と、
前記映像取得手段により取得された「ユーザーから見える実際の景色」の映像を表示するための表示手段と、
前記特定手段による特定又は抽出結果に基づいて、前記表示手段により表示された前記「ユーザーから見える実際の景色」の映像の中の「前記探索用文字列データに対応する文字列」が存在している部分を、画面上での矢印の図形や赤などの色の点や点滅などによる指示表示により、ユーザーに分かるように示すためのポイント手段と、
を含むことを特徴とするポインティング装置。
【請求項４】
「ユーザーから見える実際の景色であって、特定対象物である物体（建物や画面上に表示されたモノなどを含む）又はその部分を含む景色」の映像を取得するための映像取得手段と、
探索用の文字列、図形、画像、又は音などの探索用データを入力又は取得するための探索用データ取得手段と、
前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、
前記映像取得手段により取得された「ユーザーから見える実際の景色」の映像と前記特定手段による特定又は抽出結果とに基づいて、前記「ユーザーから見える実際の景色」の中の前記「実際の特定対象物」の全部又は一部を指示するためのスポット光を発生するのに適したレーザー光の照射方向を求めるためのスポット光照射方向取得手段と、
前記スポット光照射方向取得手段に基づいて、前記「ユーザーから見える実際の景色」の中の前記「実際の特定対象物」の全部又は一部に向けて、スポット光を発生するのに適したレーザー光を照射するためのスポット光照射手段と、
を含むことを特徴とするポインティング装置。
【請求項５】
「ユーザーから見える実際の景色であって、特定対象物である物体（建物や画面上に表示されたモノなどを含む）又はその部分を含む景色」の映像を取得するための映像取得手段と、
探索用の文字列データを入力又は取得するための探索用文字列データ取得手段と、
前記映像取得手段により取得された映像の中から映像中の文字列を文字認識して読み取るための文字認識手段と、
前記文字認識手段により認識された前記映像中の文字列と前記探索用文字列データ取得手段により取得された探索用文字列データとに基づいて、前記「ユーザーから見える実際の景色」の映像の中から「前記探索文字列データに対応する文字列」を特定又は抽出するための特定手段と、
前記映像取得手段により取得された「ユーザーから見える実際の景色」の映像と前記特定手段による特定又は抽出結果とに基づいて、前記「ユーザーから見える実際の景色」の中の前記「特定された実際の文字列」の全部又は一部を指示するためのスポット光を発生するのに適したレーザー光の照射方向を求めるためのスポット光照射方向取得手段と、
前記スポット光照射方向取得手段に基づいて、前記「ユーザーから見える実際の景色」の中の前記「特定された実際の文字列」の全部又は一部に向けて、スポット光を発生するのに適したレーザー光を照射するためのスポット光照射手段と、
を含むことを特徴とするポインティング装置。
【請求項６】
請求項５において、
前記スポット光照射手段は、指示すべき複数の特定対象物である物体又は部分を、所定の順序で順次照射しながら指示していくものである、ことを特徴とするポインティング装置。
【手続補正２】
【補正対象書類名】明細書
【補正対象項目名】０００３
【補正方法】変更
【補正の内容】
【０００３】
【発明が解決しようとする課題】
しかしながら、前記のレーザー・ポインタは、あくまで、使用者である講師がある場所（ポイント）を他人に指し示すときに使用するものであり、使用者自身が自分でターゲット（求める物体や部分）の場所を探すときには全く役に立たない。
また、従来より、病院の紙媒体のカルテを探すのを光や音を利用して支援するためのカルテ探索支援システムが実用化されている。このシステムは、カルテのフォルダ（カルテを収納しておく容器）の背表紙に、予め、患者の名前や識別番号を記録したバーコード、カラーコード、磁気データ、又はＩＣチップ（半導体素子）などを記録しておくと共に、発光ダイオード（発光部）やブザー（音発生装置）を取り付けておく。そして、カルテが必要な患者について、その氏名や識別番号などの探索キーを入力すると、それに基づいて、対応する氏名や識別番号が記録されているフォルダを探索し、そのフォルダに取り付けてある発光部を光らせたり、そのフォルダに取り付けてあるブザーから音を鳴らせたりするものである。これにより、カルテを探す人は、大量のカルテの中から求めるものを容易に探し出すことができる。
しかしながら、このカルテ探索システムは、予め、カルテのフォルダに、患者の氏名や識別番号を記録したバーコード、カラーコード、磁気データ、又は半導体素子などを表示・取付けておくと共に、発光ダイオード（発光部）やブザー（音発生装置）を取り付けておくことが必要であるから、カルテなどの特定の種類のものにしか適用できず、様々なものに種類を問わずルーズに任意に適用することはできないという問題がある。
本発明はこのような従来技術の課題に着目してなされたもので、ユーザーの行動を支援するために、ユーザーが探している物体（建物や画面上の表示されたモノを含む）を画面上でユーザーに分かるように指し示すか又はスポット光を発生するのに適したレーザー光で指し示すことができるポインティング装置を提供することを目的とする。
【手続補正３】
【補正対象書類名】明細書
【補正対象項目名】０００５
【補正方法】変更
【補正の内容】
【０００５】
第１  本願の特許請求の範囲に記載された発明は、次のようなものである。
１  「ユーザーから見える実際の景色であって、特定対象物である物体（建物や画面上に表示されたモノなどを含む）又はその部分を含む景色」の映像を取得するための映像取得手段と、探索用の文字列、図形、画像、又は音などの探索用データを入力又は取得するための探索用データ取得手段と、前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、前記特定手段による特定又は抽出結果に基づいて、前記特定又は抽出された「ユーザーから見える実際の景色」の中の「前記探索用データに対応する特定対象物」の存在している場所又は方向を、所定の方法でユーザーに分かるように指示するためのポイント手段と、を含むことを特徴とするポインティング装置。
２  「ユーザーから見える実際の景色であって、特定対象物である物体（建物や画面上に表示されたモノなどを含む）又はその部分を含む景色」の映像を取得するための映像取得手段と、探索用の文字列、図形、画像、又は音などの探索用データを入力又は取得するための探索用データ取得手段と、前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、前記映像取得手段により取得された「ユーザーから見える実際の景色」の映像を表示するための表示手段と、前記特定手段による特定又は抽出結果に基づいて、前記表示手段により表示された前記「ユーザーから見える実際の景色」の映像の中の「前記探索用データに対応する特定対象物」の存在を、画面上での矢印の図形や赤などの色の点や点滅などによる指示表示により、ユーザーに分かるように示すためのポイント手段と、を含むことを特徴とするポインティング装置。
３  「ユーザーから見える実際の景色であって、特定対象物である物体（建物や画面上に表示されたモノなどを含む）又はその部分を含む景色」の映像を取得するための映像取得手段と、探索用の文字列データを入力又は取得するための探索用文字列データ取得手段と、前記映像取得手段により取得された映像の中から映像中の文字列を文字認識して読み取るための文字認識手段と、前記文字認識手段により認識された前記映像中の文字列と前記探索用文字列データ取得手段により取得された探索用文字列データとに基づいて、前記「ユーザーから見える実際の景色」の映像の中から「前記探索用文字列データに対応する文字列」を特定又は抽出するための特定手段と、前記映像取得手段により取得された「ユーザーから見える実際の景色」の映像を表示するための表示手段と、前記特定手段による特定又は抽出結果に基づいて、前記表示手段により表示された前記「ユーザーから見える実際の景色」の映像の中の「前記探索用文字列データに対応する文字列」が存在している部分を、画面上での矢印の図形や赤などの色の点や点滅などによる指示表示により、ユーザーに分かるように示すためのポイント手段と、を含むことを特徴とするポインティング装置。
４  「ユーザーから見える実際の景色であって、特定対象物である物体（建物や画面上に表示されたモノなどを含む）又はその部分を含む景色」の映像を取得するための映像取得手段と、探索用の文字列、図形、画像、又は音などの探索用データを入力又は取得するための探索用データ取得手段と、前記映像取得手段により取得された映像と前記探索用データ取得手段により取得された探索用データとに基づいて、前記「ユーザーから見える実際の景色」の映像の中から「前記探索用データに対応する特定対象物」を特定又は抽出するための特定手段と、前記映像取得手段により取得された「ユーザーから見える実際の景色」の映像と前記特定手段による特定又は抽出結果とに基づいて、前記「ユーザーから見える実際の景色」の中の前記「実際の特定対象物」の全部又は一部を指示するためのスポット光を発生するのに適したレーザー光の照射方向を求めるためのスポット光照射方向取得手段と、前記スポット光照射方向取得手段に基づいて、前記「ユーザーから見える実際の景色」の中の前記「実際の特定対象物」の全部又は一部に向けて、スポット光を発生するのに適したレーザー光を照射するためのスポット光照射手段と、を含むことを特徴とするポインティング装置。
５  「ユーザーから見える実際の景色であって、特定対象物である物体（建物や画面上に表示されたモノなどを含む）又はその部分を含む景色」の映像を取得するための映像取得手段と、探索用の文字列データを入力又は取得するための探索用文字列データ取得手段と、前記映像取得手段により取得された映像の中から映像中の文字列を文字認識して読み取るための文字認識手段と、前記文字認識手段により認識された前記映像中の文字列と前記探索用文字列データ取得手段により取得された探索用文字列データとに基づいて、前記「ユーザーから見える実際の景色」の映像の中から「前記探索文字列データに対応する文字列」を特定又は抽出するための特定手段と、前記映像取得手段により取得された「ユーザーから見える実際の景色」の映像と前記特定手段による特定又は抽出結果とに基づいて、前記「ユーザーから見える実際の景色」の中の前記「特定された実際の文字列」の全部又は一部を指示するためのスポット光を発生するのに適したレーザー光の照射方向を求めるためのスポット光照射方向取得手段と、前記スポット光照射方向取得手段に基づいて、前記「ユーザーから見える実際の景色」の中の前記「特定された実際の文字列」の全部又は一部に向けて、スポット光を発生するのに適したレーザー光を照射するためのスポット光照射手段と、を含むことを特徴とするポインティング装置。
６  上記１−５において、前記スポット光照射手段は、指示すべき複数の特定対象物である物体又は部分を、所定の順序で順次照射しながら指示していくものである、ことを特徴とするポインティング装置。
第２  また、本願の特許請求の範囲に記載された発明ではないが本明細書の中で開示する発明は、次のようなものも含む。
Ａ．探索キーを入力するための探索キー入力手段と、特定対象物（ユーザーが求めているモノ、ユーザーが探したいモノ）を含む映像を撮り込むための撮像手段と、前記撮像手段により取り込まれた映像と前記探索キー入力手段から入力された探索キーとに基づいて、前記探索キーに対応する物体又は部分を探索する探索手段と、前記探索手段による探索結果と前記映像とに基づいて、スポット光を発生するのに適したレーザー光の照射方向を算出する方向算出手段と、前記方向算出手段に基づいて、前記の対応する物体に向けて、スポット光を発生するのに適したレーザー光を照射するレーザー発生手段と、を含むことを特徴とするポインティング装置。
Ｂ．上記Ａにおいて、前記探索手段は、前記特定対象物を含む映像の中の各物体又は部分を、互いに識別する識別手段を含むものである、ことを特徴とするポインティング装置。
なお、この識別手段による識別方式は、例えば、前記映像の中の各物体又は部分の色及び形状を検出して予め記憶した色又は形状のパターンと比較することにより識別する方式、前記各物体又は部分に表示された名前などの文字を読み取り認識する方式、前記各物体又は部分の表面に表示された識別用バーコード又は２次元コードや識別用カラーコードなどを読み取ることにより識別する方式、前記各物体又は部分に取り付けたＩＣチップ（半導体素子）に記録された識別コードをそのＩＣチップとの間で無線でやり取りすることにより識別する方式、などの様々な方式を採用することができる。
Ｃ．上記Ａ又はＢにおいて、前記スポット光を発生するのに適したレーザー光発生手段は、指示すべき複数の物体又は部分を、所定の順序で順次照射（指示）していくものである、ことを特徴とするポインティング装置。
本発明においては、例えば、ユーザーが「パソコンの画面上のデータを、外付けの光磁気ディスクに保存する操作」を希望したとき、本発明によるポインティング装置は、まず、パソコン画面の「ファイル」のアイコンをスポット光を発生するのに適したレーザー光で指示し（これにより、ユーザーに、このアイコンをマウス等でクリックするように指示する）、次に、「名前を付けて保存」の文字のあるボタン部分をスポット光を発生するのに適したレーザー光で指示し（これにより、ユーザーに、「名前を付けて保存」のポタンをクリックするように指示する）、次に、「保存する場所」の文字のあるボタン部分をスポット光を発生するのに適したレーザー光で指示し（これにより、ユーザーに、「保存する場所」の文字のあるボタン部分をクリックするように指示する）、次に「保存の実行」のボタン部分をスポット光を発生するのに適したレーザー光で指示する（是により、ユーザーに、「保存の実行」のボタン部分をクリックするように指示する）、というように、「データ保存のために必要な一連の操作」に必要な物体又は部分を、その一連の操作に即して、順次、ユーザーに対して、指し示していく。
Ｄ．上記Ａ、Ｂ又はＣにおいて、さらに、前記スポット光を発生するのに適したレーザー光が当たった（照射された）とき、その当たった場所又はその近傍で所定の音を発するための音発生手段、を含むことを特徴とするポインティング装置。
この音発生手段は、スポット光を発生するのに適したレーザー光が照射されたことを検知する検知手段と、この検知手段からの信号に基づいて駆動する振動板又はブザー等とから構成される。前記のスポット光を発生するのに適したレーザー光が照射されたことを検知する手段としては、例えば、受光素子などの光センサや、熱電素子などの熱センサ（スポット光を発生するのに適したレーザー光が照射されたスポットは、スポット光を発生するのに適したレーザー光のエネルギーにより他の部分よりも熱せられるから）などの様々なものが採用できる。
Ｅ．上記Ａ、Ｂ、Ｃ又はＤにおいて、さらに、前記スポット光を発生するのに適したレーザー光が肉眼で見えない場合に、前記スポット光を発生するのに適したレーザー光を肉眼で確認できるように画面表示させるためのスポット光を発生するのに適したレーザー光表示手段、を含むことを特徴とするポインティング装置。
Ｆ．探索キーを入力するための探索キー入力手段と、特定対象物を含む映像を取り込むための撮像手段と、前記撮像手段により取り込まれた映像と前記探索キー入力手段から入力された探索キーとに基づいて、前記探索キーに対応する物体又は部分を探索する探索手段と、前記探索手段による探索結果と前記映像とに基づいて、ユーザーに、探索された物体又は部分を示すためのディスプレイと、を含むことを特徴とするポインティング装置。
つまり、上記のＡ〜Ｅの発明では、スポット光を発生するのに適したレーザー光を特定対象物（ユーザーが求めているモノ、ユーザーが探したいモノ）に照射することにより、ユーザーに特定対象物を示すようにしているのに対して、このＦの発明では、ディスプレイ画面上に「特定対象物とその周辺の物（人、動物、植物を含む）を示す映像を表示させながら、さらにその画面上で、特定対象物を、例えば矢印のマークなどで示すこと」により、ユーザー（例えば、視力の衰えた老人など）に、求める特定対象物を示すものである。
【手続補正４】
【補正対象書類名】明細書
【補正対象項目名】００１９
【補正方法】変更
【補正の内容】
【００１９】
【発明の効果】
（１）本発明によれば、ユーザーが求める特定対象物（物体又は部分）を探索して、それを、スポット光を発生するのに適したレーザー光で照射しすることにより、ユーザーに指し示すことができるので、ユーザーの行動を支援することが可能になる。
（２）また、本発明によれば、ユーザーが求める特定対象物（物体又は部分）を探索して、それを、ディスプレイの画面上で、前記特定対象物をその一部として含む映像を表示させながら、その特定対象物の存在を矢印のマークなどで示すことにより、ユーザーにその存在を示すことができるので、ユーザーの行動を支援することができる。